(57)【要約】
【課題】　ノートブック・タイプ・コンピュータをさらにユーザーのライフにクローズでき、且つもっと多くの娯楽性を提供可能で、一般の大衆の消費性マーケットにおける競争能力を大幅に向上できる、ノートブック・タイプ・コンピュータ構造を提供する。
【解決手段】　内面に第一の液晶表示パネルを供えるノートブック・タイプ・コンピュータと、前記ノートブック・タイプ・コンピュータのある側に設けられる回転軸構造と、前記ノートブック・タイプ・コンピュータの回転軸構造に枢着されると共に、ノートブック・タイプ・コンピュータの本体内のコントロール・サーキットにコントロールされ、ユーザーにノートブック・タイプ・コンピュータの目前のメッセージを直接的に告知するようにした第二の表示パネルとからなる。
【選択図】　　　図２
0003099412.tif 000002
【実用新案登録請求の範囲】
【請求項１】
　内面に第一の液晶表示パネルを供えるノートブック・タイプ・コンピュータと、
　前記ノートブック・タイプ・コンピュータのある側に設けられる回転軸構造と、
　前記ノートブック・タイプ・コンピュータの回転軸構造に枢着されると共に、ノートブック・タイプ・コンピュータの本体内のコントロール・サーキットにコントロールされ、ユーザーにノートブック・タイプ・コンピュータの目前のメッセージを直接的に告知するようにした第二の表示パネルとを備えることを特徴とする第二の表示パネル具備ノートブックタイプコンピュータ構造。
【請求項２】
　前記ノートブック・タイプ・コンピュータ内にゲーム・デバイスの使用に供できるコネクタとボタンとを有することを特徴とする請求項１に記載の第二の表示パネル具備ノートブックタイプコンピュータ構造。
【請求項３】
　前記ノートブック・タイプ・コンピュータには撮影に供するレンズが取り付けてあることを特徴とする請求項１に記載の第二の表示パネル具備ノートブックタイプコンピュータ構造。
【考案の詳細な説明】
【技術分野】
【０００１】
　本考案は、第二の表示パネル具備ノートブックタイプコンピュータ構造に係わり、特にノートブック・タイプ・コンピュータに一つの第二の表示パネルを結合してなる構造に関するものである。
【背景技術】
【０００２】
　情報普及化の生活において、ノートブック・タイプ・コンピュータの使用率がますます高くなってゆき、その付加機能もその趨勢にしたがってユーザーのそれぞれのニーズに応じて次々に各種の付加新製品を開発してゆく。
【０００３】
　普段、ノートブック・タイプ・コンピュータの液晶表示器がフル・スクリーン・イメージ・ディスクプレイ・ファンクションを提供できるが、付加価値が漸次的に向上されてゆく今日では、ノートブック・タイプ・コンピュータをさらに大衆の生活に溶け込ませるために、つまり、それのマーケットにおける競争力を向上するために、そのノートブック・タイプ・コンピュータのマルチ・ファンクションの特色を繰り出すように考案することが、既にマーケットにおいての不可欠の要素の一つになっている。
【０００４】
　また、一般に、外出旅行する人々は大体携帯式デジタル・カメラ（DV）をもってゆき、実物を撮影し、このような趨勢が拡大されつつあり、しかしながら、それが即刻的にイメージをカッティングやコネクティングするファンクションを有しない。また、ゲーム・デバイス（例えばGame　Boyなど）を遊んで娯楽性を取得することも数多くの人々に好かれている。
【０００５】
　そのため、従来のノートブック・タイプ・コンピュータがコンピュータ自身の機能を有しながら、デジタルビデオのイメージ・カッティング/コネクティング・ファンクションの利便性と即時性と、ゲーム・デバイスの娯楽性とを具備できれば、必ずノートブック・タイプ・コンピュータの一般的な大衆の消費マーケットにおける全体競争力を向上できる。
【０００６】
　そのため、本考案の考案者は技術の運用によって本考案の“第二の表示パネル具備ノートブックタイプコンピュータ構造”を考案した。
【考案の開示】
【考案が解決しようとする課題】
【０００７】
　本考案は、デジタル・ビデオとゲーム・デバイスとノートブック・タイプ・コンピュータとを整合してなる第二の表示パネル具備ノートブックタイプコンピュータ構造をその主要な解決しようとする課題とする。
【０００８】
　また、本考案は、ノートブック・タイプ・コンピュータをさらにユーザーのライフにクローズできる、もっと多くの娯楽性を提供可能で、一般の大衆の消費性マーケットにおける競争能力を大幅に向上できる、第二の表示パネル具備ノートブックタイプコンピュータ構造を提供することをその第二の解決しようとする課題とする。
【０００９】
　また、本考案は、ノートブック・タイプ・コンピュータをオープンしなくても直接に第二の表示パネルより情報を読み取ることができ、ノートブック・タイプ・コンピュータのコントロールされる状況を了解可能な、第二の表示パネル具備ノートブックタイプコンピュータ構造を提供することをその第三の解決しようとする課題とする。
【課題を解決するための手段】
【００１０】
　前記それぞれの目的を達成するために、本考案は、内面に第一の液晶表示パネルを供えるノートブック・タイプ・コンピュータと、前記ノートブック・タイプ・コンピュータのある側に設けられる回転軸構造と、前記ノートブック・タイプ・コンピュータの回転軸構造に枢着されると共に、ノートブック・タイプ・コンピュータの本体内のコントロール・サーキットにコントロールされ、ユーザーにノートブック・タイプ・コンピュータの目前のメッセージを直接的に告知するようにした第二の表示パネルとを備える第二の表示パネル具備ノートブックタイプコンピュータ構造を提供する。
【００１１】
　また、さらに前記の目的を達成するために、本考案は、ノートブック・タイプ・コンピュータ内にゲーム・デバイス（例えばGame　Boyなど）の使用に供できるボタンが配置される。
【００１２】
　また、さらに前記の目的を達成するために、本考案は、ノートブック・タイプ・コンピュータに撮影に供可能なレンズが配置される。
【考案の効果】
【００１３】
　本考案の第二の表示パネル具備ノートブックタイプコンピュータ構造によると、マーケット競争力の高い複合性ノートブック・タイプ・コンピュータ製品を提供できる。
【００１４】
　以下に添付図面を参照しながら本考案の最良の実施の形態を詳細的で具体的に説明するが、それらの具体的な構造は単に本考案の実施可能な実施例に過ぎず、本考案を狭義的にリミットを加えるものではない。
【考案を実施するための最良の形態】
【００１５】
　図１ないし図３に示すように、本考案による第二の表示パネル具備ノートブックタイプコンピュータ構造には、ノートブック・タイプ・コンピュータ１と、回転軸構造２と、第二の表示パネル３とを具備する。そのうち、ノートブック・タイプ・コンピュータ１の内面に第一の液晶表示パネル１１が配置され、それに撮影に供できるレンズ１２を整合してよく、また、ノートブック・タイプ・コンピュータ１の前側にゲーム・デバイス（例えばGame　Boyなど）を操作可能なボタン１３が配置される。
【００１６】
　また、回転軸構造２はノートブック・タイプ・コンピュータ１のある側に配置される。
【００１７】
　また、第二の表示パネル３がノートブック・タイプ・コンピュータ１の回転軸構造２に結合されつつ、ノートブック・タイプ・コンピュータ１の本体内のコントロール・サーキットのコントロールを受け、ユーザーがそこから直接にそのノートブック・タイプ・コンピュータ１の目前のメッセージを了解できる。また、その第二の表示パネル３の表示部が内方へ向かっており、ノートブック・タイプ・コンピュータ１と一体になるように結合される。
【００１８】
　回転軸構造２には回転軸２１が設けてあり、第二の表示パネル３の底部の連結に供し、且つノートブック・タイプ・コンピュータ１に枢着され、その第二の表示パネル３をスイング可能に設定する。
【００１９】
　使用時、ノートブック・タイプ・コンピュータ１に取り付けられる第二の表示パネル３が直接的に所定の範囲の観覧角度に打開されることができ、図４に示すようであり、不使用時に、第二の表示パネル３をスイングしてノートブック・タイプ・コンピュータ１の表面に覆うように設定することができる。
【００２０】
　図５は本考案の他の実施の形態を示す外見図であり、それは、第二の表示パネル３’の表示部を外方へ向かせるように設定し、且つノートブック・タイプ・コンピュータ１と一体になるように連結する。
【産業上の利用可能性】
【００２１】
　前記に説明した通り、本考案の第二の表示パネル具備ノートブックタイプコンピュータ構造による場合、少なくとも次のようなそれぞれ優れた点を有する。
【００２２】
　１．ノートブック・タイプ・コンピュータにデジタル・ビデオ（DV）を整合することによって、優れたイメージのカッティング/コネクティングの利便性と即時性とを提供できる。
【００２３】
　２．ノートブック・タイプ・コンピュータにゲーム・デバイス・ファンクションを整合することによって、ユーザーが外出旅行する時に、それを使用して娯楽性を取得できる。
【００２４】
　３．ユーザーがノートブック・タイプ・コンピュータを打開しないまま直接前記第二の表示パネルより情報を読み取ることができるため、ノートブック・タイプ・コンピュータのコントロールされている状態を即時的に了解できるようになり、つまり、ノートブック・タイプ・コンピュータに第二の表示パネルを結合すると、一日中インフォーメーションをモニタリングできる。
【００２５】
　４．ノートブック・タイプ・コンピュータをさらにユーザーのライフにクローズでき、且つもっと多くの娯楽性を提供可能で、一般の大衆の消費性マーケットにおける競争能力を大幅に向上できる。
【００２６】
　また、前記に掲げた具体的な構造は単に本考案の最良の実施の形態に過ぎず、本考案の特徴はそれらのみにリミットされるものではなく、いずれの当該分野における技術者が本考案の範疇において容易に変化と修飾を実行できるが、それらのことも本考案の主張範囲内に入る。
【図面の簡単な説明】
【００２７】
【図１】本考案を示す外見図である。
【図２】本考案を示す分解図である。
【図３】本考案の実施の形態を示す説明図である。
【図４】図３の使用状態を示す参考説明図である。
【図５】本考案の他の実施の形態を示す外見図である。
【符号の説明】
【００２８】
１　　ノートブック・タイプ・コンピュータ
２　　回転軸構造
３、３’　第二の表示パネル
１１　第一の液晶表示パネル
１２　レンズ
１３　ボタン
２１　回転軸
【図１】
0003099412.tif 000003
【図２】
0003099412.tif 000004
【図３】
0003099412.tif 000005
【図４】
0003099412.tif 000006
【図５】
0003099412.tif 000007